【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
素材画像を記憶する素材画像記憶手段と、
一の被写体画像に含まれる主要被写体に対応する第１の画像領域の位置を特定する位置特定手段と、
前記位置特定手段により特定された前記一の被写体画像の前記第１の画像領域の位置以外の第２の画像領域における、前記位置特定手段によって特定された第１の画像領域の位置に近づくように、前記素材画像記憶手段に記憶されている前記素材画像を合成する処理を行う合成処理手段と、
を備えることを特徴とする画像処理装置。
【請求項２】
前記第２の画像領域における前記素材画像の合成位置を外部操作を検出することにより入力する合成位置入力手段を更に備え、
前記合成処理手段は、前記合成位置入力手段によって入力された合成位置に基づき、前記位置特定手段により特定された前記一の被写体画像の前記第１の画像領域の位置以外の第２の画像領域における、前記位置特定手段によって特定された第１の画像領域の位置に近づくように、前記素材画像記憶手段に記憶されている前記素材画像を合成することを特徴とする請求項１に記載の画像処理装置。
【請求項３】
前記被写体画像を構成する画素集合の輪郭線を抽出する抽出手段と、
この抽出手段によって抽出された輪郭線のうちの所定値よりも小さい画素集合の輪郭線を除くことにより、前記主要被写体を描画した主要輪郭線を特定する輪郭線特定手段と、
を更に備え、
前記位置特定手段は、
前記輪郭線特定手段によって特定された前記主要輪郭線で囲まれた画像領域の位置を、前記主要画像領域の位置として特定することを特徴とする請求項１又は２に記載の画像処理装置。
【請求項４】
前記一の被写体画像を複数の領域に分割する分割手段と、
この分割手段によって分割された夫々の領域について、周波数成分情報を取得する情報取得手段と、
を更に備え、
前記位置特定手段は、
前記情報取得手段によって取得された前記周波数成分情報に基づいて、高周波成分が所定値よりも多い領域を前記第１の画像領域を構成する画像領域と判断することを特徴とする請求項１又２に記載の画像処理装置。
【請求項５】
前記被写体画像を撮像する撮像手段を更に備えることを特徴とする請求項１乃至４の何れかに記載の画像処理装置。
【請求項６】
コンピュータを、
一の被写体画像に含まれる主要被写体に対応する第１の画像領域の位置を特定する位置特定手段、
前記位置特定手段により特定された前記一の被写体画像の前記第１の画像領域の位置以外の第２の画像領域における、前記位置特定手段によって特定された第１の画像領域の位置に近づくように、素材画像を合成する処理を行う合成処理手段、
として機能させることを特徴とするプログラム。
【手続補正２】
【補正対象書類名】明細書
【補正対象項目名】発明の名称
【補正方法】変更
【補正の内容】
【発明の名称】画像処理装置、及び、プログラム
【手続補正３】
【補正対象書類名】明細書
【補正対象項目名】０００１
【補正方法】変更
【補正の内容】
【０００１】
本発明は、画像処理装置、及び、プログラムに関する。
【手続補正４】
【補正対象書類名】明細書
【補正対象項目名】０００４
【補正方法】変更
【補正の内容】
【０００４】
そこで、本発明の課題は、一の被写体画像から主要被写体が含まれる画像領域を判別し、この画像領域の位置を考慮して画像合成することができる画像処理装置、及び、プログラムを提供することである。
【手続補正５】
【補正対象書類名】明細書
【補正対象項目名】０００５
【補正方法】変更
【補正の内容】
【０００５】
上記課題を解決するため、請求項１に記載の発明は、
素材画像を記憶する素材画像記憶手段と、一の被写体画像に含まれる主要被写体に対応する第１の画像領域の位置を特定する位置特定手段と、前記位置特定手段により特定された前記一の被写体画像の前記第１の画像領域の位置以外の第２の画像領域における、前記位置特定手段によって特定された第１の画像領域の位置に近づくように、前記素材画像記憶手段に記憶されている前記素材画像を合成する処理を行う合成処理手段と、を備えることを特徴としている。
請求項２に記載の発明は、請求項１に記載の発明において、
前記第２の画像領域における前記素材画像の合成位置を外部操作を検出することにより入力する合成位置入力手段を更に備え、前記合成処理手段は、前記合成位置入力手段によって入力された合成位置に基づき、前記位置特定手段により特定された前記一の被写体画像の前記第１の画像領域の位置以外の第２の画像領域における、前記位置特定手段によって特定された第１の画像領域の位置に近づくように、前記素材画像記憶手段に記憶されている前記素材画像を合成することを特徴としている。
【手続補正６】
【補正対象書類名】明細書
【補正対象項目名】０００６
【補正方法】変更
【補正の内容】
【０００６】
請求項３に記載の発明は、請求項１又は２に記載の発明において、
前記被写体画像を構成する画素集合の輪郭線を抽出する抽出手段と、この抽出手段によって抽出された輪郭線のうちの所定値よりも小さい画素集合の輪郭線を除くことにより、前記主要被写体を描画した主要輪郭線を特定する輪郭線特定手段と、を更に備え、前記位置特定手段は、前記輪郭線特定手段によって特定された前記主要輪郭線で囲まれた画像領域の位置を、前記主要画像領域の位置として特定することを特徴としている。
【手続補正７】
【補正対象書類名】明細書
【補正対象項目名】０００７
【補正方法】変更
【補正の内容】
【０００７】
請求項４に記載の発明は、請求項１又は２に記載の発明において、
前記一の被写体画像を複数の領域に分割する分割手段と、この分割手段によって分割された夫々の領域について、周波数成分情報を取得する情報取得手段と、を更に備え、前記位置特定手段は、前記情報取得手段によって取得された前記周波数成分情報に基づいて、高周波成分が所定値よりも多い領域を前記第１の画像領域を構成する画像領域と判断することを特徴としている。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
請求項５に記載の発明は、請求項１乃至４のいずれかに記載の発明において、前記被写体画像を撮像する撮像手段を更に備えることを特徴としている。
【手続補正１１】
【補正対象書類名】明細書
【補正対象項目名】００１１
【補正方法】変更
【補正の内容】
【００１１】
請求項６に記載の発明は、
コンピュータを、一の被写体画像に含まれる主要被写体に対応する第１の画像領域の位置を特定する位置特定手段、前記位置特定手段により特定された前記一の被写体画像の前記第１の画像領域の位置以外の第２の画像領域における、前記位置特定手段によって特定された第１の画像領域の位置に近づくように、素材画像を合成する処理を行う合成処理手段、として機能させることを特徴としている。
【手続補正１２】
【補正対象書類名】明細書
【補正対象項目名】００１２
【補正方法】変更
【補正の内容】
【００１２】
本発明によれば、一の被写体画像から主要被写体が含まれる画像領域を判別し、この画像領域の位置を考慮して画像合成することができる。